(57)【要約】【課題】  箱体の結合作業を容易に実施でき、且つ箱体の結合を確実に実施できること。【解決手段】  左側板１１、右側板１２、前側板１３、後側板１４、屋根板を結合して玩具ハウス１０を組み立てる箱体の結合構造において、左側板１１、右側板１２に側板側挿入舌片２０が設けられ、前側板１３、後側板１４に、側板側挿入舌片を挿通する側板側挿通穴２８が設けられ、側板側挿入舌片２０には、挿通方向に沿う折り曲げ部２２を境に、舌片本体２３に対し係止部２４が設けられ、係止部２４は、折り曲げ部２２で折り畳まれて側板側挿通穴２８に挿通された後、押し広げられて側板側挿通穴２８周辺部に係止可能に構成する。【選択図】            図８
2006055283.tif 000002
【特許請求の範囲】
【請求項１】
被結合部材を相互に結合して箱体を組み立てる箱体の結合構造において、
前記被結合部材の一方に挿入舌片を設けるとともに、前記被結合部材の他方に前記挿入舌片を挿通する挿通穴を設け、前記挿入舌片は、挿通方向に沿う折り曲げ部を有し、前記挿通穴に挿通可能な構成としたこと
を特徴とする箱体の結合構造。
【請求項２】
前記被結合部材は、少なくとも側板と天板とを有することを特徴とする請求項１に記載の箱体の結合構造。
【請求項３】
前記挿入舌片には、舌片本体に対して前記折り曲げ部を境に係止部が設けられ、前記係止部は、前記折り曲げ部で折り畳み、他方の被結合部材の挿通穴に挿通した後に押し広げ、前記挿通穴周辺部に係止可能な構成としたことを特徴とする請求項1又は請求項２に記載の箱体の結合構造。
【請求項４】
前記一方の被結合部材の挿入舌片は、他方の被結合部材の挿通穴への挿通方向に沿う第１折り曲げ部と、前記第１折り曲げ部とは異なる第２折り曲げ部とを有し、他方の被結合部材は、前記挿通穴付近に係合穴が設けられ、
前記挿入舌片は、第１折り曲げ部で折り畳まれて前記挿通穴に挿通した後に押し広げ、第２折り曲げ部で折り曲げて前記係合穴に係合可能な構成としたことを特徴とする請求項1又は請求項２に記載の箱体の結合構造。
【請求項５】
前記挿通穴及び係合穴は、天板としての屋根板に形成されたことを特徴とする請求項４に記載の箱体の結合構造。
【請求項６】
被結合部材を相互に結合して箱体を組み立てる箱体の結合方法において、
前記被結合部材の一方に設けられた挿入舌片を、前記被結合部材の他方に設けられた挿通穴に挿通する際に挿通方向に沿う折り曲げ部で折り畳み、前記挿通穴に挿通した後に押し広げることを特徴とする箱体の結合方法。
【請求項７】
被結合部材を相互に結合して、箱体を組み立てる箱体の結合方法において、
前記被結合部材の一方に設けられた挿入舌片を、前記被結合部材の他方に設けられた挿通穴に挿通する際に挿通方向に沿う第１折り曲げ部で折り畳み、前記挿通穴に挿通した後に押し広げ、第２折り曲げ部で折り曲げて、前記被結合部材の他方に形成された係合穴に係合することを特徴とする箱体の結合方法。
【請求項８】
前記被結合部材は、少なくとも側板と天板とを有することを特徴とする請求項６又は請求項７に記載の箱体の結合方法。
【発明の詳細な説明】
【技術分野】
【０００１】
本発明は、箱体の結合構造及び箱体の結合方法に関する。
【背景技術】
【０００２】
子供がその中に入って遊ぶ玩具ハウスとしては一般に箱体として構成され、例えば、特許文献１に記載のように、互いに結合された４枚の側板に、屋根が結合されて構成される。特許文献１に記載の玩具ハウスでは、被結合部材としての側板同士、側板と屋根板の結合は、一方の被結合部材に形成された挿入突起部を、他方の被結合部材に形成された挿通穴に挿入することによって実施されている。
【０００３】
【特許文献１】実開平５−３５１９９号公報
【発明の開示】
【発明が解決しようとする課題】
【０００４】
しかしながら、特許文献１に記載の玩具ハウスでは、挿入突起部と挿通穴との寸法がほぼ同一であることから、挿入突起部の挿通穴への挿入作業が容易でなく、被結合部材の結合が困難な作業となっている。
【０００５】
また、挿入突起部を挿通穴に挿入して被結合部材を結合した場合、挿入突起部の抜け止めを果たすためにはピンなどの別部材を用いるが、部品点数が増大してしまう。これを回避するために、挿入突起部をフック形状にするものが開示されているが、挿通穴への挿入の容易化の観点が考慮されているため、フック形状の挿入突起部が挿通穴から外れ易く、被結合部材の結合が確実であるとはいえない。
【０００６】
本発明の目的は、上述の事情を考慮してなされたものであり、箱体の結合作業を容易にするとともに、箱体の結合を確実に実施できる箱体の結合構造及び箱体の結合方法を提供することにある。
【課題を解決するための手段】
【０００７】
請求項１に記載の発明に係る箱体の結合構造は、被結合部材を相互に結合して、箱体を組み立てる箱体の結合構造において、前記被結合部材の一方に挿入舌片を設けるとともに、前記被結合部材の他方に前記挿入舌片を挿通する挿通穴を設け、前記挿入舌片は、挿通方向に沿う折り曲げ部を有し、前記挿通穴に挿通可能な構成としたことを特徴とするものである。
【０００８】
請求項２に記載の発明に係る箱体の結合構造は、請求項１に記載の発明において、前記被結合部材は、少なくとも側板と天板とを有することを特徴とするものである。
【０００９】
請求項３に記載の発明に係る箱体の結合構造は、請求項１又は請求項２に記載の発明において、前記挿入舌片には、舌片本体に対して前記折り曲げ部を境に係止部が設けられ、前記係止部は、前記折り曲げ部で折り畳み、他方の被結合部材の挿通穴に挿通した後に押し広げ、前記挿通穴周辺部に係止可能な構成としたことを特徴とするものである。
【００１０】
請求項４に記載の発明に係る箱体の結合構造は、請求項１又は請求項２に記載の発明において、前記一方の被結合部材の挿入舌片は、他方の被結合部材の挿通穴への挿通方向に沿う第１折り曲げ部と、前記第１折り曲げ部とは異なる第２折り曲げ部とを有し、他方の被結合部材は、前記挿通穴付近に係合穴が設けられ、前記挿入舌片は、第１折り曲げ部で折り畳まれて前記挿通穴に挿通した後に押し広げ、第２折り曲げ部で折り曲げて前記係合穴に係合可能な構成としたことを特徴とするものである。
【００１１】
請求項５に記載の発明に係る箱体の結合構造は、請求項４に記載の発明において、前記挿通穴及び係合穴は、天板としての屋根板に形成されたことを特徴とするものである。
【００１２】
請求項６に記載の発明に係る箱体の結合方法は、被結合部材を相互に結合して、箱体を組み立てる箱体の結合方法において、前記被結合部材の一方に設けられた挿入舌片を、前記被結合部材の他方に設けられた挿通穴に挿通する際に挿通方向に沿う折り曲げ部で折り畳み、前記挿通穴に挿通した後に押し広げることを特徴とするものである。
【００１３】
請求項７に記載の発明に係る箱体の結合方法は、被結合部材を相互に結合して、箱体を組み立てる箱体の結合方法において、前記被結合部材の一方に設けられた挿入舌片を、前記被結合部材の他方に設けられた挿通穴に挿通する際に挿通方向に沿う第１折り曲げ部で折り畳み、前記挿通穴に挿通した後に押し広げ、第２折り曲げ部で折り曲げて、前記被結合部材の他方に形成された係合穴に係合することを特徴とするものである。
【００１４】
請求項８に記載の発明に係る箱体の結合方法は、請求項６又は請求項７に記載の発明において、少なくとも側板と天板とを有することを特徴とするものである。
【発明の効果】
【００１５】
請求項１又は請求項２に記載の発明によれば、一方の被結合部材に設けられた挿入舌片が、他方の被結合部材に設けられた挿通穴に挿通される際に、挿通方向に沿う折り曲げ部で折り畳まれて前記挿通穴に挿通されることから、挿入舌片の挿通穴への挿通を容易に実施でき、箱体の結合作業を容易化できる。
【００１６】
請求項３に記載の発明によれば、一方の被結合部材の挿入舌片には、舌片本体に対し折り曲げ部を境に係止部が設けられ、この係止部を前記折り曲げ部で折り畳んで他方の被結合部材の挿通穴に挿通させた後、この係止部を押し広げて前記挿通穴周辺部に係止することから、挿入舌片が折り畳まれることにより、当該挿入舌片の挿通穴への挿通を容易に実施して箱体の結合作業を容易化できると共に、押し広げられた係止部により、一方及び他方の被結合部材の結合を確実に実施して、箱体の結合を確実化できる。
【００１７】
請求項４又は５に記載の発明によれば、一方の被結合部材の挿入舌片が第１折り曲げ部で折り畳まれて他方の被結合部材の挿通穴に挿通され、その後押し広げられ、第２折り曲げ部で折り曲げられて前記他方の被結合部材の係合穴に係合されることから、挿入舌片が第１折り曲げ部で折り畳まれることにより、挿通穴への挿通を容易に実施できるので、箱体の結合作業を容易化できると共に、第２折り曲げ部で折り曲げられた挿入舌片が係合穴に係合されることにより、一方及び他方の被結合部材の結合を確実に実施して、箱体の結合を確実化できる。
【００１８】
請求項６又は請求項８に記載の発明によれば、挿入舌片を挿通穴への挿通方向に沿う折り曲げ部で折り畳んで前記挿通穴に挿通することで、この挿入舌片の挿通穴への挿通を容易に実施して、箱体の結合作業を容易化できると共に、挿入舌片を挿通穴への挿通後に押し広げ、挿入舌片の挿通穴からの抜け止めを果たすことから、被結合部材の結合を確実に実施して、箱体の結合を確実化できる。
【００１９】
請求項７又は請求項８に記載の発明によれば、被結合部材の一方に設けられた挿入舌片を、被結合部材の他方に設けられた挿通穴に挿通する際に、挿通方向に沿う第１折り曲げ部で折り畳んで挿通することから、この挿入舌片の挿通穴への挿通を容易に実施して、箱体の結合作業を容易化できる。更に、挿入舌片を挿通穴への挿通後に押し広げ、第２折り曲げ部で折り曲げて、被結合部材の他方に形成された係合穴に係合することから、被結合部材の結合を確実に実施して、箱体の結合を確実化できる。
【発明を実施するための最良の形態】
【００２０】
以下、本発明を実施するための最良の形態を、図面に基づき説明する。
【００２１】
図１は、本発明に係る箱体の結合構造の一実施の形態が適用された玩具ハウスを示す斜視図、図２は、図１の玩具ハウスの左側板及び右側板を示す展開図、図３は、図１の玩具ハウスの前側板を示す展開図、図４は、図１の玩具ハウスの後側板を示す展開図、図５は、図１の玩具ハウスの屋根板を示す展開図、図６は、図５の屋根板の組立て手順を示す斜視図、図７は、図２の左側板及び右側板の組立て手順を示す斜視図、図８は、図２、図３及び図４の左側板、右側板、前側板及び後側板の組立て手順を示す斜視図、図９は、図８の側板側挿入舌片の作用を示す斜視図、図１０は、図８の側板組立体に屋根板を組み付ける組立て手順を示す斜視図、図１１は、図１０の屋根側挿入舌片の作用を示す斜視図、図１２は、図１０の屋根側挿入舌片の作用を示す玩具ハウスの斜視図である。
【００２２】
図１に示す玩具ハウス１０は、左側板１１（図２）、右側板１２（図２）、前側板１３（図３）及び後側板１４（図４）が互いに結合されて側板組立体1５を構成し、これらの側板１１、１２、１３及び１４の上部に、天板としての屋根板１６が結合されて箱体として構成されたものであり、中に子供が入って遊ぶことができるものである。被結合部材としての前記左側板１１、右側板１２、前側板１３、後側板１４及び屋根板１６の材質としては、段ボール紙が好適であるが、それ以外の材料により構成してもよい。
【００２３】
図２に示すように、左側板１１及び右側板１２は同一形状であり、本体部１７に窓用開口１８が形成され、本体部１７の両側に折り曲げ部ａ及びｂを介して折り曲げ代部１９が一体に連設される。折り曲げ代部１９には、側板側挿入舌片２０が複数打ち抜かれて形成され、側板側挿入舌片２０は折り曲げ部ａ及びｂを介して本体部１７に連設される。
【００２４】
側板側挿入舌片２０は、前側板１３及び後側板１４に形成された後述の側板側挿通穴２８（図３、図４、図８）に挿通されるものであり、図９に示すように、挿通方向に沿う折り曲げ部２２を境に、舌片本体２３の両側に係止部２４が設けられて構成される。なお、係止部２４は、強度の向上のために舌片本体２３と一体に設けることが好適であるが、別体で構成してもよく、また、舌片本体２３の片側のみに設ける構成としてもよい。折り曲げ部２２は、図８の矢印で示す挿通方向に沿う方向で設けられており、本実施の形態のように、係止部２４の折り畳み時に舌片本体２３が挿通方向に向かって細くなるように設けることが、後述の側板側挿通穴２８（図３、図４、図８）への挿通の容易の観点から好適であるが、本発明はこれに限られるものではなく、挿通方向とほぼ平行に設けてもよい。また、折り曲げ部２２は、折り目やミシンを入れる構成とするのが、折り畳みの容易の観点から好適であるが、折り畳む目印となるラインを設ける構成としてもよく、これらに限定されるものではない。側板側挿入舌片２０は、側板側挿通穴２８に挿通される際に係止部２４が折り曲げ部２２で折り畳まれ舌片本体２３に重ね合わされて、側板側挿通穴２８に挿通可能とされる。また、係止部２４は、側板側挿入舌片２０が側板側挿通穴２８に挿通した後で押し広げられ、前側板１３及び後側板１４の側板側挿通穴２８周辺部分に係止されて、側板側挿通穴２８からの側板側挿入舌片２０の抜け止めを果たす。
【００２５】
図３に示す前側板１３は、本体部２５に出入用開口２６が形成されると共に、その両側に折り曲げ部ｃを介して折り曲げ代部２７が一体に設けられ、この折り曲げ代部２７に側板側挿通穴２８が複数形成される。側板側挿通穴２８は、一辺が折り曲げ部ｃに一致して開口される。また、本体部２５は、上部が山形形状であり、その両辺から屋根側挿入舌片２９が突設される。
【００２６】
屋根側挿入舌片２９は、屋根板１６に形成された後述の屋根側挿通穴３５（図５、図１０）に挿通されるものであり、図１１に示すように、挿通方向に沿う第１折り曲げ部３１と、前記挿通方向に対し直交し且つ互いに離間して設けられた第１折り曲げ部とは異なる第２折り曲げ部３２とを有する。第１折り曲げ部３１は、図１０の矢印で示す挿通方向に沿う方向で設けられており、本実施の形態のように、折り畳み時に屋根側挿入舌片２９が挿通方向に向って細くなるように、前記挿通方向に対して斜めに１条設けることが好適であるが、本発明はこれに限られるものではなく、略Ｖ字型に２条設けてもよい。第１折り曲げ部３１及び第２折り曲げ部３２は、折り目やミシンを入れる構成とするのが、折り畳みの容易の観点から好適であるが、折り畳む目印となるラインを設ける構成としてもよく、これらに限定されるものではない。屋根側挿入舌片２９は、屋根板１６の屋根側挿通穴３５に挿通される際には、第１折り曲げ部３１で折り畳まれ重ね合わされて屋根側挿通穴３５に挿通可能となり、挿通後に押し広げられ、２本の第２折り曲げ部３２で順次折り曲げられて、その先端部が屋根板１６の係合穴３６（後述）に係合可能に構成されている。
【００２７】
図４に示す後側板１４は、本体部２５に出入用開口２６が形成されていない点を除いて、上述の前側板１３と同様の構造であり、側板側挿通穴２８及び屋根側挿入舌片２９を有する。
【００２８】
図５に示す屋根板１６は、本体部３３の周囲に折り曲げ部ｄを介して、補強のための折り曲げ代部３４が複数一体に連設される。本体部３３のほぼ中央位置に所定間隔を隔てて折り曲げ部ｅ及びｆが設けられる。これらの折り曲げ部ｅ及びｆは、屋根板１６を山形形状とするためのものであり、本体部３３のみならず、折り曲げ代部３４にも対応する位置に設けられる。
【００２９】
屋根板１６の本体部３３には、山形形状の屋根板１６の両端部分で、且つ折り曲げ部ｅ及びｆと対称な位置に、複数の屋根側挿通穴３５が形成され、更に各屋根側挿通穴３５の近傍でその内側に係合穴３６が形成される。また、折り曲げ代部３４にも屋根側挿通穴３５が形成される。この折り曲げ代部３４の屋根側挿通穴３５は、折り曲げ代部３４が折り曲げ部ｄで折り曲げられて本体部３３に重ね合わされたときに、この本体部３３の屋根側挿通穴３５に一致する位置に設けられている。
【００３０】
次に、玩具ハウス１０の組立て手順を説明する。図６に示すように、屋根板１６の折り曲げ代部３４を折り曲げ部ｄで折り曲げて本体部３３に重ね合わせ、両面テープや接着剤などを用いて本体部３３と折り曲げ代部３４とを固着する。また、図７に示すように、左側板１１及び右側板１２の折り曲げ代部１９を折り曲げ部ａ及びｂで折り曲げる。このとき、側板側挿入舌片２０は、折り曲げ部ｂで折り曲げない状態に保つ。
【００３１】
図８及び図９に示すように、前側板１３と後側板１４の折り曲げ代部２７を折り曲げ部ｃで折り曲げて立設する。そして、左側板１１と右側板１２の側板側挿入舌片２０における係止部２４を折り曲げ部２２で折り畳んで舌片本体２３に重ね合わせ、この状態で、前側板１３と左側板１４の側板側挿通穴２８に挿通させる。側板側挿通穴２８に挿通後、側板側挿入舌片２０の係止部２４を押し広げ、係止部２４を前側板１３と後側板１４における側板側挿通穴２８周辺部に係止させることにより、側板側挿入舌片２０の抜け止めを果たす。なお、図９（Ｂ）に示すように、押し広げられた係止部２４は、２点鎖線で示すガムテープなどを用いて、前側板１３と後側板１４の本体部２５の裏面に固着してもよい。
【００３２】
左側板１１、右側板１２、前側板１３及び後側板１４を結合して側板組立体１５を組み立てた後、図１０及び図１１に示すように、屋根板１６を折り曲げ部ｅ及びｆで折り曲げて山形形状とし、屋根板１６の屋根側挿通穴３５に、前側板１３と後側板１４の屋根側挿入舌片２９を挿通させる。このとき、屋根側挿入舌片２９を第１折り曲げ部３１で折り畳んで重ね合わせた状態で屋根側挿通穴３５に挿通させる。
【００３３】
屋根側挿入舌片２９の挿通後に当該屋根側挿入舌片２９を押し広げ、図１２に示すように、屋根側挿入舌片２９を２本の第２折り曲げ部３２で内側にほぼ９０度でそれぞれ折り曲げ、屋根側挿入舌片２９の先端部を屋根板１６の係合穴３６に係合させて、屋根板１６を側板組立体１５に結合させ、玩具ハウス１０を完成させる。
【００３４】
以上のように構成されたことから、前記実施の形態によれば、次の効果（１）及び（２）を得られる。（１）左側板１１、右側板１２の側板側挿入舌片２０には、舌片本体２３に対し折り曲げ部２２を境に係止部２４が一体に設けられ、この係止部２４を前記折り曲げ部２２で折り畳んで前側板１３、後側板１４の側板側挿通穴２８に挿通させた後、係止部２４を押し広げて側板側挿通穴２８周辺部に係止することから、側板側挿入舌片２０が折り畳まれることにより、側板側挿入舌片２０の側板側挿通穴２８への挿通を容易に実施して、玩具ハウス１０の結合作業を容易化できると共に、押し広げられた係止部２４により、左側板１１、右側板１２、前側板１３及び後側板１４の結合を確実に実施して、玩具ハウス１０の結合を確実化できる。
【００３５】
（２）前側板１３、後側板１４の屋根側挿入舌片２９が第１折り曲げ部３１で折り畳まれて屋根板１６の屋根側挿通穴３５に挿通され、その後押し広げられ、第２折り曲げ部３２で折り曲げられて、屋根側挿入舌片２９の先端部が屋根板１６の係合穴３６に係合されることから、屋根側挿入舌片２９が折り畳まれることにより、屋根側挿通穴３５への挿通を容易に実施できるので、玩具ハウス１０の結合作業を容易化できると共に、第２折り曲げ部３２で折り曲げられた屋根側挿入舌片２９の先端部が係合穴３５に係合されることにより、前側板１３、後側板１４及び屋根板１６の結合を確実に実施して、玩具ハウス１０の結合を確実化できる。
【００３６】
以上、本発明を前記実施の形態に基づいて説明したが、本発明はこれに限定されるものではない。例えば、前記実施の形態によれば、左側板１１、右側板１２の窓用開口１８に開閉可能な窓を設置してもよく、また、前側板１３の出入開口２６に開閉可能な扉を設置してもよい。
【００３７】
また、前記実施の形態では、左側板１１、右側板１２、前側板１３、後側板１４及び屋根板１６を用いて玩具ハウス１０が構成されるものであるが、左側板１１、右側板１２、前側板１３及び後側板１４の下部に底板を配置し、この底板を、前側板１３、後側板１４の屋根側挿入舌片２９と同様な挿入舌片を用いて前側板１３及び後側板１４に結合してもよい。
【図面の簡単な説明】
【００３８】
【図１】本発明に係る箱体の結合構造の一実施の形態が適用された玩具ハウスを示す斜視図である。
【図２】図１の玩具ハウスの左側板及び右側板を示す展開図である。
【図３】図１の玩具ハウスの前側板を示す展開図である。
【図４】図１の玩具ハウスの後側板を示す展開図である。
【図５】図１の玩具ハウスの屋根板を示す展開図である。
【図６】図５の屋根板の組立て手順を示す斜視図である。
【図７】図２の左側板及び右側板の組立て手順を示す斜視図である。
【図８】図２、図３及び図４の左側板、右側板、前側板及び後側板の組立て手順を示す斜視図である。
【図９】図８の側板側挿入舌片の作用を示す斜視図である。
【図１０】図８の側板組立体に屋根板を組み付ける組立て手順を示す斜視図である。
【図１１】図１０の屋根側挿入舌片の作用を示す斜視図である。
【図１２】図１０の屋根側挿入舌片の作用を示す玩具ハウスの斜視図である。
【符号の説明】
【００３９】
１０  玩具ハウス
１１  左側板（被結合部材）
１２  右側板（被結合部材）
１３  前側板（被結合部材）
１４  後側板（被結合部材）
１６  屋根板（天板、被結合部材）
２０  側板側挿入舌片
２２  折り曲げ部
２３  舌片本体
２４  係止部
２８  側板側挿通穴
２９  屋根側挿入舌片
３１  第１折り曲げ部
３２  第２折り曲げ部
３５  屋根側挿通穴
３６  係合穴
【図１】
2006055283.tif 000003
【図２】
2006055283.tif 000004
【図３】
2006055283.tif 000005
【図４】
2006055283.tif 000006
【図５】
2006055283.tif 000007
【図６】
2006055283.tif 000008
【図７】
2006055283.tif 000009
【図８】
2006055283.tif 000010
【図９】
2006055283.tif 000011
【図１０】
2006055283.tif 000012
【図１１】
2006055283.tif 000013
【図１２】
2006055283.tif 000014